【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
表示する順序が設定された複数のコンテンツを表示領域に表示する端末の表示方法であって、
前記端末のユーザによる前記端末への操作に基づいて、前記表示領域内の第１表示領域に表示された前記複数のコンテンツを設定された前記順序で移動させることと、
前記複数のコンテンツのうち、前記端末のユーザによって閲覧されていないコンテンツを、前記第１表示領域とは異なる第２表示領域に表示することとを含む。
【請求項２】
請求項１に記載の表示方法であって、
前記複数のコンテンツは、前記操作に基づいて、前記第１表示領域内を設定された前記順序で移動する。
【請求項３】
請求項１または請求項２に記載の表示方法であって、
前記端末のユーザによって閲覧されていないコンテンツは、前記第１表示領域に表示された後、前記第２表示領域に表示される。
【請求項４】
請求項３に記載の表示方法であって、
前記端末のユーザによって閲覧されていないコンテンツは、前記操作に基づいて前記第１表示領域に表示され、前記操作に基づいて前記第１表示領域に表示されなくなった後、前記第２表示領域に表示される。
【請求項５】
請求項１から請求項４のいずれか一項に記載の表示方法であって、
前記第２表示領域に表示された、前記端末のユーザによって閲覧されていないコンテンツは、前記操作に基づき、前記第２表示領域を移動しない。
【請求項６】
請求項１から請求項５のいずれか一項に記載の表示方法であって、
前記第２表示領域に表示された、前記端末のユーザによって閲覧されていないコンテンツが、前記端末のユーザに閲覧された場合、前記第２表示領域から消去される。
【請求項７】
請求項１から請求項６のいずれか一項に記載の表示方法であって、
前記複数のコンテンツのうち、前記端末のユーザによって閲覧されていないコンテンツを判定することを含む。
【請求項８】
請求項７に記載の表示方法であって、
前記閲覧されていないコンテンツを判定することは、前記複数のコンテンツに含まれるコンテンツが前記第１表示領域に表示された時間に基づき判定することを含む。
【請求項９】
請求項７に記載の表示方法であって、
前記閲覧されていないコンテンツを判定することは、前記複数のコンテンツに含まれる動画コンテンツの再生時間に基づき判定することを含む。
【請求項１０】
請求項７に記載の表示方法であって、
前記閲覧されていないコンテンツを判定することは、前記複数のコンテンツに含まれるコンテンツに含むリンクの選択に基づき判定することを含む。
【請求項１１】
請求項１から請求項１０のいずれか一項に記載の表示方法であって、
前記複数のコンテンツのうち、前記第２表示領域に表示されたコンテンツと、前記第１表示領域に表示されたコンテンツとを異なる表示態様で表示することを含む。
【請求項１２】
請求項１１に記載の表示方法であって、
前記第１表示領域に表示されたコンテンツは、第１の大きさで前記第１表示領域に表示し、
前記第２表示領域に表示されたコンテンツは、前記第１の大きさよりも小さい第２の大きさで前記第２表示領域に表示される。
【請求項１３】
請求項１から請求項１２のいずれか一項に記載の表示方法であって、
前記操作は、第１方向または前記第１方向とは反対の第２方向に前記複数のコンテンツを移動させる操作である。
【請求項１４】
請求項１３に記載の表示方法であって、
前記操作は、前記複数のコンテンツを移動させるスクロール操作である。
【請求項１５】
請求項１から請求項１４のいずれか一項に記載の表示方法であって、
前記表示領域への表示回数に基づいて、前記複数のコンテンツに含まれるコンテンツの表示態様を変更することを含む。
【請求項１６】
表示する順序が設定された複数のコンテンツを表示領域に表示する端末のコンピューターに実行させるプログラムであって、
前記端末のユーザによる前記端末への操作に基づいて、前記表示領域内の第１表示領域に表示された前記複数のコンテンツを設定された前記順序で移動させることと、
前記複数のコンテンツのうち、前記端末のユーザによって閲覧されていないコンテンツを、前記第１表示領域とは異なる第２表示領域に表示することとを含む。
【請求項１７】
請求項１６に記載のプログラムであって、
前記複数のコンテンツは、前記操作に基づいて、前記第１表示領域内を設定された前記順序で移動する。
【請求項１８】
請求項１６または請求項１７に記載のプログラムであって、
前記端末のユーザによって閲覧されていないコンテンツは、前記第１表示領域に表示された後、前記第２表示領域に表示される。
【請求項１９】
請求項１８に記載のプログラムであって、
前記端末のユーザによって閲覧されていないコンテンツは、前記操作に基づいて前記第１表示領域に表示され、前記操作に基づいて前記第１表示領域に表示されなくなった後、前記第２表示領域に表示される。
【請求項２０】
請求項１６から請求項１９のいずれか一項に記載のプログラムであって、
前記第２表示領域に表示された、前記端末のユーザによって閲覧されていないコンテンツは、前記操作に基づき、前記第２表示領域を移動しない。
【請求項２１】
請求項１６から請求項２０のいずれか一項に記載のプログラムであって、
前記第２表示領域に表示された、前記端末のユーザによって閲覧されていないコンテンツが、前記端末のユーザに閲覧された場合、前記第２表示領域から消去される。
【請求項２２】
請求項１６から請求項２１のいずれか一項に記載のプログラムであって、
前記複数のコンテンツのうち、前記端末のユーザによって閲覧されていないコンテンツを判定することを含む。
【請求項２３】
請求項２２に記載のプログラムであって、
前記閲覧されていないコンテンツを判定することは、前記複数のコンテンツに含まれるコンテンツが前記第１表示領域に表示された時間に基づき判定することを含む。
【請求項２４】
請求項２３に記載のプログラムであって、
前記閲覧されていないコンテンツを判定することは、前記複数のコンテンツに含まれる動画コンテンツの再生時間に基づき判定することを含む。
【請求項２５】
請求項２４に記載のプログラムであって、
前記閲覧されていないコンテンツを判定することは、前記複数のコンテンツに含まれるコンテンツに含むリンクの選択に基づき判定することを含む。
【請求項２６】
請求項１６から請求項２５のいずれか一項に記載のプログラムであって、
前記複数のコンテンツのうち、前記第２表示領域に表示されたコンテンツと、前記第１表示領域に表示されたコンテンツとを異なる表示態様で表示することを含む。
【請求項２７】
請求項２６に記載のプログラムであって、
前記第１表示領域に表示されたコンテンツは、第１の大きさで前記第１表示領域に表示し、
前記第２表示領域に表示されたコンテンツは、前記第１の大きさよりも小さい第２の大きさで前記第２表示領域に表示される。
【請求項２８】
請求項１６から請求項２７のいずれか一項に記載のプログラムであって、
前記操作は、第１方向または前記第１方向とは反対の第２方向に前記複数のコンテンツを移動させる操作である。
【請求項２９】
請求項２８に記載のプログラムであって、
前記操作は、前記複数のコンテンツを移動させるスクロール操作である。
【請求項３０】
請求項１６から請求項２９のいずれか一項に記載のプログラムであって、
前記表示領域への表示回数に基づいて、前記複数のコンテンツに含まれるコンテンツの表示態様を変更することを含む。
【手続補正２】
【補正対象書類名】明細書
【補正対象項目名】発明の名称
【補正方法】変更
【補正の内容】
【発明の名称】表示方法およびプログラム
【手続補正３】
【補正対象書類名】明細書
【補正対象項目名】０００７
【補正方法】変更
【補正の内容】
【０００７】
本発明の一実施形態に係る表示方法は、表示する順序が設定された複数のコンテンツを表示領域に表示する端末の表示方法であって、前記端末のユーザによる前記端末への操作に基づいて、前記表示領域内の第１表示領域に表示された前記複数のコンテンツを設定された前記順序で移動させることと、前記複数のコンテンツのうち、前記端末のユーザによって閲覧されていないコンテンツを、前記第１表示領域とは異なる第２表示領域に表示することとを含む。
また、本発明の一実施形態に係るプログラムは、表示する順序が設定された複数のコンテンツを表示領域に表示する端末のコンピューターに実行させるプログラムであって、前記端末のユーザによる前記端末への操作に基づいて、前記表示領域内の第１表示領域に表示された前記複数のコンテンツを設定された前記順序で移動させることと、前記複数のコンテンツのうち、前記端末のユーザによって閲覧されていないコンテンツを、前記第１表示領域とは異なる第２表示領域に表示することとを含む。